【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
Ｂａ，  Ｃａ，  Ｔｉ  および  Ｚｒを含む酸化物と、
Ｍｎと、
Ｂｉと、
Ｂａ４Ｔｉ１２Ｏ２７  、Ｂａ６Ｔｉ１７Ｏ４０のうち少なくとも一つの粒子と、
を含有する圧電材料であって、
前記Ｂａおよび前記Ｃａの和に対する前記Ｃａのモル比であるｘが０．０２≦ｘ≦０．３０であり、
前記Ｔｉおよび前記Ｚｒの和に対する前記Ｚｒのモル比であるｙが０．０２５≦ｙ≦０．０８５であり、
前記酸化物１００重量部に対して、金属換算で０．０４重量部以上０．３６重量部以下のＭｎおよび０．０４２重量部以上０．８５０重量部以下のＢｉを含有する圧電セラミックス。
【請求項２】
下記一般式（１）で表わされる金属酸化物と、前記金属酸化物１００重量部に対して金属換算で０．０４重量部以上０．３６重量部以下のＭｎおよび０．０４２重量部以上０．８５０重量部以下のＢｉを含有する圧電セラミックスであって、前記圧電セラミックスはペロブスカイト型構造を有する複数の第一の結晶粒子と前記第一の結晶粒子間の粒界に備えられた第一の結晶粒子とは異なる結晶構造を有する複数の第二の結晶粒子よりなり、前記第二の結晶粒子はＢａ４Ｔｉ１２Ｏ２７およびＢａ６Ｔｉ１７Ｏ４０から選ばれる少なくとも一つの金属酸化物を主成分とすることを特徴とする請求項１に記載の圧電セラミックス。
（Ｂａ１−ｘＣａｘ）ａ（Ｔｉ１−ｙＺｒｙ）Ｏ３    （１）（式中、０．０９≦ｘ≦０．３０、０．０２５≦ｙ≦０．０８５、０．９８６≦ａ≦１．０２）
【請求項３】
前記第二の結晶粒子と接する前記第一の結晶粒子のＢａとＣａのモル数Ａ１とＴｉおよびＺｒのモル数Ｂ１の比Ａ１／Ｂ１と、前記第二の結晶粒子と接しない前記第一の結晶粒子のＢａとＣａのモル数Ａ２とＴｉおよびＺｒのモル数Ｂ２の比Ａ２／Ｂ２とが、Ａ１／Ｂ１＞Ａ２／Ｂ２の関係を満たすことを特徴とする請求項２に記載の圧電セラミックス。
【請求項４】
前記圧電セラミックスの表面または断面で観測した際の前記第二の結晶粒子が占める割合が、前記圧電セラミックスの表面または断面の全面積に対して０．０５面積％以上１面積％以下であることを特徴とする請求項２または３に記載の圧電セラミックス。
【請求項５】
前記第二の結晶粒子の主成分がＭｎを含有することを特徴とする請求項２乃至４のいずれか一項に記載の圧電セラミックス。
【請求項６】
前記圧電セラミックスを構成する第一の結晶粒子の平均円相当径が５００ｎｍ以上１０μｍ以下であることを特徴とする請求項２乃至４のいずれか一項に記載の圧電セラミックス。
【請求項７】
前記圧電セラミックスの相対密度が９２．７％以上１００％以下であることを特徴とする請求項１乃至６のいずれか一項に記載の圧電セラミックス。
【請求項８】
前記圧電セラミックスの相対密度が９２．７％以上９９．５％以下であることを特徴とする請求項１乃至７のいずれか一項に記載の圧電セラミックス。
【請求項９】
電極と、圧電セラミックス部と、有する圧電素子であって、前記圧電セラミックス部を構成する圧電セラミックスが、請求項１乃至８のいずれか一項に記載の圧電セラミックスであることを特徴とする圧電素子。
【請求項１０】
前記圧電セラミックス部と前記電極とが交互に積層された請求項９記載の圧電素子。
【請求項１１】
前記電極がＡｇとＰｄを含み、前記Ａｇの含有重量Ｍ１と前記Ｐｄの含有重量Ｍ２との重量比Ｍ１／Ｍ２が０．２５≦Ｍ１／Ｍ２≦４．０であることを特徴とする請求項１０に記載の圧電素子。
【請求項１２】
前記電極がＮｉおよびＣｕの少なくともいずれか１種を含むことを特徴とする請求項１０に記載の圧電素子。
【請求項１３】
請求項９乃至１２のいずれか一項に記載の圧電素子を配した振動部を備えた液室と、前記液室と連通する吐出口を少なくとも有することを特徴とする液体吐出ヘッド。
【請求項１４】
被転写体の載置部と請求項１３に記載の液体吐出ヘッドを備えたことを特徴とする液体吐出装置。
【請求項１５】
請求項９乃至１２のいずれか一項に記載の圧電素子を配した振動体と、前記振動体と接触する移動体とを少なくとも有することを特徴とする超音波モータ。
【請求項１６】
駆動部に請求項１５に記載の超音波モータを備えたことを特徴とする光学機器。
【請求項１７】
請求項９乃至１２のいずれか一項に記載の圧電素子を振動板に配した振動体を有することを特徴とする振動装置。
【請求項１８】
請求項１７に記載の振動装置を振動部に備えたことを特徴とする塵埃除去装置。
【請求項１９】
請求項１８に記載の塵埃除去装置と撮像素子ユニットとを少なくとも有する撮像装置であって、前記塵埃除去装置の振動板を前記撮像素子ユニットの受光面側に設けたことを特徴とする撮像装置。
【請求項２０】
請求項９乃至１２のいずれか一項に記載の圧電素子を備えた圧電音響部品。
【請求項２１】
請求項９乃至１２のいずれか一項に記載の圧電素子を備えた電子機器。
【請求項２２】
請求項９乃至１２のいずれか一項に記載の圧電素子を備え、かつ、前記圧電素子への電圧印加手段および前記圧電素子からの電力取出手段の少なくとも一方を有することを特徴とする圧電装置。
【請求項２３】
請求項１乃至８のいずれか一項に記載の圧電セラミックスの製造方法であって、
Ｂａ、Ｃａ、Ｔｉ、Ｚｒを含み、ペロブスカイト構造を有する金属酸化物よりなる第一の粉体と、Ｂａ、Ｔｉを含み、前記Ｂａのモル数より前記Ｔｉのモル数が過剰であり、前記第一の粉体とは異なる結晶構造を有する金属酸化物よりなる第二の粉体とを、前記第一の粉体の混合比が９５質量％以上９９．９質量％以下となるように混合して混合粉を得る工程と、
造粒工程と、
成形工程と、
最高温度１３８０℃以下の焼結工程とを
順に実施することを特徴とする圧電セラミックスの製造方法。
【手続補正２】
【補正対象書類名】明細書
【補正対象項目名】０００８
【補正方法】変更
【補正の内容】
【０００８】
前記課題を解決するための圧電セラミックスは、
Ｂａ，  Ｃａ，  Ｔｉ  および  Ｚｒを含む酸化物と、
Ｍｎと、
Ｂｉと、
Ｂａ４Ｔｉ１２Ｏ２７  、Ｂａ６Ｔｉ１７Ｏ４０のうち少なくとも一つの粒子と、
を含有する圧電材料であって、
前記Ｂａおよび前記Ｃａの和に対する前記Ｃａのモル比であるｘが０．０２≦ｘ≦０．３０であり、
前記Ｔｉおよび前記Ｚｒの和に対する前記Ｚｒのモル比であるｙが０．０２５≦ｙ≦０．０８５であり、
前記酸化物１００重量部に対して、金属換算で０．０４重量部以上０．３６重量部以下のＭｎおよび０．０４２重量部以上０．８５０重量部以下のＢｉを含有する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】